(57)【要約】【課題】  磁気パネルに記載された文字等を簡単に文字等を消去することができる磁気消去具を提供する。【解決手段】  磁気消去具１０は、円筒状のハウジング２０の内部空間２２内に取り付けられた回転体７０と、回転体７０に取り付けられた第１の磁石８０および第２の磁石８２と、回転体７０を駆動するモーター５０とを有する。第１の磁石８０は、Ｓ極が表面を向くように取り付けられ、第２の磁石８２は、Ｎ極が表面を向くように取り付けられる。回転体７０を回転させることで、第１の磁石８０および第２の磁石８２によって発生される磁界を変化させる。【選択図】  図１
2018030233.tif 000002
【特許請求の範囲】
【請求項１】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
を有する磁気消去具。
【請求項２】
前記磁界発生手段は、少なくとも１つの永久磁石を含み、
前記磁界変化手段は、前記永久磁石を回転させる回転機構を含む、請求項１に記載の磁気消去具。
【請求項３】
前記磁界発生手段は、前記ハウジング内に取り付けられた回転体と、前記回転体に取り付けられた少なくとも第１の磁石および第２の磁石を含み、第１の磁石の表面側にＳ極が配置され、第２の磁石の表面側にＮ極が配置され、
前記磁界変化手段は、前記回転体を回転させることで磁界を変化させる、請求項１または２に記載の磁気消去具。
【請求項４】
前記磁界発生手段は、前記ハウジング内に取り付けられた回転体と、前記回転体上に対向する位置に取り付けられた少なくとも第１の磁石および第２の磁石を含み、第１の磁石の表面にＳ極とＮ極が形成され、第２の磁石の表面にＳ極とＮ極とが形成され、第１の磁石と第２の磁石との間にＮ極からＳ極に向かう磁力線が形成される、請求項１または２に記載の磁気消去具。
【請求項５】
第１の磁石および第２の磁石は、回転対称に配置される、請求項３に記載の磁気消去具。
【請求項６】
前記磁界発生手段は、軸方向に沿うようにＳ極およびＮ極が形成された少なくとも第１および第２の磁石を含み、
前記磁界変化手段は、第１および第２の磁石を軸中心に回転させる、請求項２に記載の磁気消去具。
【請求項７】
前記磁界変化手段は、Ｓ極とＮ極とがそれぞれ同期するように第１の磁石および第２の磁石を回転させる、請求項６に記載の磁気消去具。
【請求項８】
前記磁界変化手段は、第１および第２の磁石を第１および第２のギアにより回転させる回転機構を含み、第１および第２のギアにより第１および第２の磁石の間隙が調整される、請求項６または７に記載の磁気消去具。
【請求項９】
前記磁界発生手段は、内周に複数の突起が形成された環状の磁性体部材と、前記複数の突起に巻回された複数のコイルと、前記複数のコイルに電流を印加する電流印加手段とを含み、
前記磁界変化手段は、前記電流印加手段の電流印加のタイミングを制御する、請求項８に記載の磁気消去具。
【請求項１０】
前記複数の突起が等間隔で配置され、前記磁界変化手段は、対向する一対の突起が順次Ｓ極とＮ極を発生するように電流印加のタイミングを制御する、請求項８に記載の磁気消去具。
【請求項１１】
前記磁界発生手段は、円柱状の鉄芯と、鉄芯に巻回されたコイルとを含み、
前記磁界変化手段は、前記コイルに交流波形の電流を印加する、請求項２に記載の磁気消去具。
【請求項１２】
前記磁界発生手段は、前記ハウジングの端部から一定距離だけ窪んだ位置に配置される、請求項１に記載の磁気消去具。
【請求項１３】
磁気消去具はさらに、前記磁界変化手段を起動させるための入力スイッチを含む、請求項１ないし１２いずれか１つに記載の磁気消去具。
【請求項１４】
磁気消去具はさらに、前記磁界変化手段を動作させるためのセンサーを含む、請求項１ないし１２いずれか１つに記載の磁気消去具。
【請求項１５】
磁気消去具はさらに、前記磁界発生手段の前記ハウジング端部からの距離を可変する可変機構を含む、請求項１ないし１４いずれか１つに記載の磁気消去具。
【請求項１６】
磁気消去具はさらに、ユーザーからの指示を受け取る入力手段を含み、前記磁界発生手段は、ユーザー入力に応じて前記可変機構を調整する、請求項１５に記載の磁気消去具。
【請求項１７】
磁気消去具はさらに、ハウジングの開放された端部を覆うカバー部材を含み、当該カバー部材の表面には、摺動を容易にする部材が設けられる、請求項１ないし１６いずれか１つに記載の磁気消去具。
【請求項１８】
前記磁界変化手段は、動力源としてモーターとバッテリーとを含む、請求項１ないし１７いずれか１つに記載の磁気消去具。
【請求項１９】
前記ハウジングは、磁性体材料から構成される、請求項１に記載の磁気消去具。
【発明の詳細な説明】
【技術分野】
【０００１】
本発明は、磁性を帯びた表示体を含む磁気パネルに描画された文字、図形、記号等を消去する磁気消去具に関し、特に、磁気パネルに作用させる磁界の方向を変化させることにより消去効率を向上した磁気消去具に関する。
【背景技術】
【０００２】
マイクロカプセル内に磁性粒子と分散液を含む磁気パネルにおいて、先端に磁石を備えた磁気ペンからの磁界を作用させることにより、マイクロカプセル内の磁性粒子を泳動させ所望の文字、記号、絵等を描画する、磁気泳動型の磁気パネルが実用化されている。また、表裏をＮ極およびＳ極とした磁性体であって、各磁極を異なる色で着色した表示対を用いることで所望の文字等を描画する磁気反転型の磁気パネルも実用化されている。
【０００３】
磁気パネルに描画された文字、記号等は、磁気を帯びた消去具（以下、磁気消去具と呼ぶことがある）を磁気パネルの表面または裏面に作用させることにより、消去することができる。例えば、特許文献１の記録装置は、マイクロカプセルを有する記録用の磁気シートと、磁気シートの裏面側に設けられた消去用シートとを備え、モーターの動力を利用して、消去用シートを磁気シートに対してほぼ平行な姿勢を保ちながら往復運動させることで磁気シートの文字、図形を消去している。特許文献２は、記録時に作用させた磁力とは反対方向の磁力を記載面から作用させることで、文字、図形等の消去を可能にする磁性体反転表示パネル用磁性配向具を開示している。特許文献３は、上消し可能なマイクロカプセル磁気泳動表示シートにおいて、マイクロカプセル内に２種類以上の磁性粒子を包含する磁気泳動表示シートを開示している。
【先行技術文献】
【特許文献】
【０００４】
【特許文献１】特開２０００−２７６０８２号公報
【特許文献２】国際公開ＷＯ  ０１／０４８５４８
【特許文献３】特許第４０８９８０８号
【発明の概要】
【発明が解決しようとする課題】
【０００５】
従来の磁気パネルに利用される消去具は、特許文献２に示すように、ハウジング内に固定された磁石から発生される磁力線を利用するものであり、その結果、一定方向の磁力線が作用された領域では、文字、図形等が消去されるが、それ以外の領域では消去されない。このため、ユーザーは、磁気パネルに描画された文字、図形等を満遍なく消去するために、磁気パネル上で消去具を四方八方に動かし、様々な角度から磁気を作用させる必要があり、操作が煩わしいという課題がある。また、特許文献１のように磁気シートの裏面側の消去用シートを駆動させるタイプでは、磁気パネルの表面側（磁気ペンにより描画する面）から消去をすることができず、利便性が良くないという課題がある。
【０００６】
本発明は、このような従来の課題を解決するものであり、磁気パネルに記載された文字等を簡単に文字等を消去することができる磁気消去具を提供することを目的とする。
【課題を解決するための手段】
【０００７】
本発明に係る磁気パネル用の磁気消去具は、内部空間が形成されたハウジングと、前記ハウジング内に収容され、磁界を発生させる磁界発生手段と、前記磁界発生手段により発生された磁界を変化させる磁界変化手段と、を有する。
【０００８】
好ましくは前記磁界発生手段は、少なくとも１つの永久磁石を含み、前記磁界変化手段は、前記永久磁石を回転させる回転機構を含む。好ましくは前記磁界発生手段は、前記ハウジング内に取り付けられた回転体と、前記回転体に取り付けられた少なくとも第１の磁石および第２の磁石を含み、第１の磁石の表面側にＳ極が配置され、第２の磁石の表面側にＮ極が配置され、前記磁界変化手段は、前記回転体を回転させることで磁界を変化させる。好ましくは第１の磁石および第２の磁石は、回転対称に配置される。好ましくは前記磁界発生手段は、軸方向に沿うようにＳ極およびＮ極が形成された少なくとも第１および第２の磁石を含み、前記磁界変化手段は、第１および第２の磁石を軸中心に回転させる。好ましくは前記磁界変化手段は、Ｓ極とＮ極とがそれぞれ同期するように第１の磁石および第２の磁石を回転させる。好ましくは前記磁界変化手段は、第１および第２の磁石を第１および第２のギアにより回転させる回転機構を含み、第１および第２のギアにより第１および第２の磁石の間隙が調整される。好ましくは前記磁界発生手段は、内周に複数の突起が形成された環状の磁性体部材と、前記複数の突起に巻回された複数のコイルと、前記複数のコイルに電流を印加する電流印加手段とを含み、前記磁界変化手段は、前記電流印加手段の電流印加のタイミングを制御する。好ましくは前記複数の突起が等間隔で配置され、前記磁界変化手段は、対向する一対の突起が順次Ｓ極とＮ極を発生するように電流印加のタイミングを制御する。好ましくは前記磁界発生手段は、円柱状の鉄芯と、鉄芯に巻回されたコイルとを含み、前記磁界変化手段は、前記コイルに交流波形の電流を印加する。好ましくは前記磁界発生手段は、前記ハウジングの端部から一定距離だけ窪んだ位置に配置される。好ましくは前記磁界変化手段は、動力源としてモーターとバッテリーとを含む。好ましくは前記ハウジングは、磁性体材料から構成される。
【発明の効果】
【０００９】
本発明によれば、ハウジング内で発生される磁界を変化させるようにしたので、磁気パネルには種々の方向の磁力線が作用するのと同様の効果を得ることができ、より効率的に磁気パネル上に描画された文字等を消去することができる。これによりユーザーの利便性をより改善させることができる。
【図面の簡単な説明】
【００１０】
【図１】本発明の第１の実施例に係る磁気消去具を示す図であり、図１（Ａ）は、磁気消去具の上面図、図１（Ｂ）は、磁気消去具のＡ−Ａ線断面図である。
【図２】磁石が取り付けられた支持体の平面図である。
【図３】本実施例の磁気消去具の電気的な構成例を示すブロック図である。
【図３Ａ】本実施例の磁気消去具の他の電気的な構成例を示すブロック図である。
【図４】図４（Ａ）は、磁気パネルの構成例を示す断面図、図４（Ｂ）は、磁気消去具による消去の一例を示す図である。
【図５】図５（Ａ）は、第１の実施例の磁気消去具における磁界の発生を模式的に説明する断面図、図５（Ｂ）は、ハウジングの底部から見た磁界の発生を模式的に説明する平面図、図５（Ｃ）は、消去範囲を説明する図である。
【図５Ａ】本発明の第１の実施例の変形例を示す図である。
【図５Ｂ】本発明の第１の実施例の変形例を示す図である。
【図６】本発明の第１の実施例に係る磁気消去具の変形例を示す図である。
【図７】図７（Ａ）は、第２の実施例に係る磁気消去具のハウジングの上部を切り取った内部の平面図、図７（Ｂ）は、そのＢ−Ｂ線断面図である。
【図８】第２の実施例に適用可能なロッド状の永久磁石の例を示す図である。
【図８Ａ】第２の実施例の変形例を説明する図である。
【図８Ｂ】本実施例に係る磁気消去具をペン型に構成にしたときの一例を示す図である。
【図９】本発明の第３の実施例に係る磁気消去具の要部を示す平面図である。
【図１０】第３の実施例において印加される電流のタイミングチャートを示す図である。
【図１１】時間期間Ｔ１からＴ９におけるステーター内の磁力線の変化を示す図である。
【図１２】コイルに印加する電圧（電流）波形の一例を示す図である。
【図１３】本発明の第３の実施例に係る磁気消去具の変形例を示す図である。
【図１４】本発明の第４の実施例に係る磁気消去具の要部を説明する図である。
【発明を実施するための形態】
【００１１】
次に、本発明の実施の形態について図面を参照して詳細に説明する。本発明の好ましい態様では、磁気消去具は、磁界を動的に変化させる機構を有し、変化する磁界を磁気パネルに作用させることにより、磁気ペンによって磁気シート上に描画された文字、図形、記号等を消去する。さらに好ましい態様では、磁気消去具は、磁気パネルの記載面から磁界を作用させることにより文字等を消去する。なお、図面に示された各部の大きさは、必ずしも実際の製品の大きさとは一致しない点に留意すべきである。
【実施例】
【００１２】
図１は、本発明の第１の実施例に係る磁気消去具を示す図であり、図１（Ａ）は、磁気消去具の俯瞰図、図１（Ｂ）は、磁気消去具のＡ−Ａ線断面図である。本実施例の磁気消去具１０は、内部に空間２２が形成された円筒状のハウジング２０を含む。ハウジング２０は、金属、樹脂などの種々の材料から構成されることができるが、好ましくは、鉄等の磁性体材料から構成される。ハウジング２０の内部空間２２には、円板状の支持体３０が取り付けられる。支持体３０の材料は任意であるが、例えば、金属から構成される。支持体３０は、例えば、その側面がハウジング２０の内壁に樹脂等により固定され、支持体３０により内部空間２２は上下の２つの空間に分割される。
【００１３】
上方の内部空間には、バッテリー４０と、モーター５０と、歯車６０とが収容される。支持体３０の一方の端部には、バッテリー４０が配置され、他方の端部にはモーター５０が配置される。バッテリー４０は、モーター５０を駆動するための動力源であり、バッテリー４０とモーター５０とは、支持体３０に搭載された回路部品／配線（図示省略）によって電気的に接続される。また、支持体３０のほぼ中心には、軸３２が回転可能に取り付けられる。軸３２の一方の端部には、平歯車６０が取り付けられ、他方の端部には、回転体７０が取り付けられる。また、モーター５０の駆動軸５２には、ウォームギア６２が取り付けられ、ウォームギア６２が平歯車６０に歯合する。それ故、モーター５０の駆動軸５２が回転すると、その回転は、ウォームギア６２、平歯車６０を介して軸３２に伝達され、回転体７０が回転される。
【００１４】
下方の内部空間には、円形状の回転体７０と、複数の磁石８０とが収容される。回転体７０は、任意の材料から構成されるが、好ましくは鉄等の磁性体材料から構成される。回転体７０は、上記したように軸３２に連結され、モーター５０により回転することが可能である。回転体７０の一方の面上には、第１の磁石８０と、第２の磁石８２とが取り付けられる。図２は、磁石が取り付けられた回転体３０の平面図である。第１および第２の磁石８０、８２は、同一形状の磁石であることができる。但し、第１の磁石８０と第２の磁石８２は、それぞれの磁極が反対となるように回転体に取り付けられる。図に示す例では、第１の磁石８０および第２の磁石８２はそれぞれ同一の矩形状を有し、回転体７０の軸中心Ｃから半径ｒ１、ｒ２の位置に配置される。好ましくは、ｒ１＝ｒ２であり、かつ第１の磁石８０と第２の磁石８２は回転対称に配置される。また、第１の磁石８０のＮ極が回転体７０側を向き、Ｓ極が露出され、反対に、第２の磁石８２のＳ極が回転体７０側を向き、Ｎ極が露出される。
【００１５】
回転体７０、または第１および第２の磁石８０、８２は、図１（Ｂ）に示すように、ハウジング２０の開放端２４から距離ｄだけ窪んだ位置に調整される。また、ハウジング２０の開放端２４には、内部空間２２を遮蔽するためのカバー２６が取り付けられる。カバー２６は、磁石８０、８２により発生された磁界を透過することができる非磁性材料、例えば、樹脂やプラスチックから構成される。
【００１６】
図３は、本実施例の磁気消去具の電気的な構成例を示す図である。図３（Ａ）は、最も簡易な構成であり、磁気消去具１０は、例えば、ハウジング２０の頂面にスイッチ９０を含む。ユーザーがスイッチ９０のオン／オフを操作することで、モーター５０を駆動または停止させることができる。
【００１７】
図３（Ｂ）は、モーター５０の駆動を制御するコントローラ９４と、ユーザーからの入力を受け取るユーザーインターフェースＩ／Ｆ９６とを含む。コントローラ９２は、ユーザーからの指示に応じてモーター５０を起動させたり、モーター５０の回転速度を調整する。また、コントローラ９２は、モーター５０を駆動してから一定時間後に自動的にモーター５０の駆動をオフするようなタイマー機能を実施するようにしてもよい。
【００１８】
図３Ａは、さらなる他の電気的な構成を示すブロック図である。同図（Ａ）は、センサー９６を搭載する。センサー９６は、例えば、ハウジング２０のいずれかの表面に搭載され、センサー９６は、ハウジング２０にいずれかの物体（ユーザーによる接触を含む）が接触されたことを検出する接触センサーであることができる。コントローラ９２は、接触センサー９６により接触が検出されたとき、モーター５０を起動させ、接触が検出されなくなったとき、モーター５０を停止させることができる。また、他の好ましい例では、センサー９６は、光学式マウスのように発光素子と受光素子とを備えたセンサーであることができる。この場合、センサーは、例えば、磁気消去具が磁気パネル上を移動したことを検出し、それに応答してコントローラ９２がモーター５０のオン／オフを制御する。
【００１９】
また、図１に示すように、磁石８０、８２は、ハウジング２０の開放端２４から距離ｄの位置にあるが、磁気消去具１０は、距離ｄを可変する可変機構を備えることができる。可変機構は、公知の技術を用いて構成することができる。例えば、可変機構は、ネジ機構を含み、ネジを回転させることで回転体７０または磁石８０、８２の垂直方向の高さを変化させる。この場合、ネジを回転させるための操作部材がホルダー２０の外側からユーザー操作できるように取り付けられるようにしてもよい。あるいは可変機構は、スライド機構を含み、スライド部材を上下方向にスライドさせることで、回転体７０または磁石８０、８２の高さを調整するようにしてもよい。
【００２０】
さらに可変機構は、アクチュエータによって電気的に動作されるものであってもよい。図３Ａ（Ｂ）は、可変機構を電気的に動作させるときのブロック図である。同図に示すように、アクチュエータ部９８は、可変機構を駆動するためのモーターまたは駆動部材等を含む。コントローラ９２は、ユーザーからの指示に応じてアクチュエータ部９８を介して可変機構を動作させ、磁石８０、８２の距離ｄを調整する。
【００２１】
図４（Ａ）に、本実施例の磁気消去具を利用することができる好ましい磁気パネルの一例を示す。磁気パネル１００は、磁界を透過可能な透明なシートであって、磁気パネルの表示面を構成する表面シート１１０、表面シート１１０と対向する裏面シート１２０、表面シート１１０と裏面シート１２０との間の空間内に２次元状に配置された複数のマイクロカプセル１３０を含んで構成される。なお、複数のマイクロカプセル１３０は、図示しないケースに収容される。
【００２２】
好ましくは、マイクロカプセル１３０は、例えば透明な球状のセル内に、粒径が０．１μｍ〜１．０μｍの磁性粒子を１種類以上、粒径が１μｍ〜２０μｍの磁性粒子を１種類以上、白色酸化チタン等の非磁性粒子、分散液、添加剤を内蔵する。マイクロカプセルの大きさは、例えば５０〜６５０μｍである。このような磁気泳動型の磁気パネルは、例えば特許文献３に開示されており、以下の特徴を有する。
ａ．水平の磁力線で小さい粒子が磁力線の方向に反応しやすい。
ｂ．垂直の磁力線を有する磁気ペンでは、大、小の磁性粒子が反応して表面側が黒くなり、文字を描画することができる。
ｃ．磁気パネルの表面から消去する場合、水平の磁力線に反応しやすい小さい粒子に水平のみ磁力線を作用させれば、小さい粒子が磁力線の方向に泳動して白くなる。このとき、大きい粒子はほとんど反応しないため"黒“のままの状態であり、表面から見ると黒が透けて見えるので完全には、白にならずコントラストの低下が生じる。
ｄ．文字を消去するためには水平の磁力線を作用させればよく、逆に水平の磁力線を有する磁気ペンは、自ら書いた文字を即座に消去するため、不具合を生じさせる。
【００２３】
１つのマイクロカプセル１３０は、１つの画素を形成する。表面シート１１０上の磁気ペン（図示省略）によりマイクロカプセル１３０に磁界が作用されると、磁気ペンの垂直方向の磁力線に反応してマイクロカプセル１３０内の黒色の磁石粒子が表面側に泳動する。こうして、表面シート１１０上を磁気ペンを移動させれば、その移動に従いマイクロカプセル１３０内の磁性粒子が泳動し、画像が形成される。一方、画像を消去する場合は、表面シート１１０上において磁気消去具１０の水平方向の磁力線に反応して小さい粒子が表面側に泳動し、画像が消去される。この場合、消去用磁石と表面シート１１０との間には一定のクリアランスｄを設けることで、磁気パネルに対して水平な磁力線を多く作用させることが望ましい。
【００２４】
なお、マイクロカプセル１３０は、必ずしも上記構成に限定されるものではなく、例えば、表側または裏面側から消去可能な磁気パネル、あるいは透明な球状のセル内に永久磁石粒子を内蔵し、永久磁石粒子がＮ極、Ｓ極を有するように着磁されるものであってもよい。例えば、Ｎ極の永久磁石粒子が黒色、Ｓ極の永久磁石粒子が白色に塗られ、永久磁石粒子は、磁気ペンや消去用磁石からの磁界に応じてセル内を自由に移動することができる。
【００２５】
また、磁気パネルは、磁気泳動型の他、磁気反転型の磁気シートであっても良い。さらに磁気パネル１００は、表面シート１１０側から磁界を作用させて描画した画像を消去することが可能なタイプ、あるいは裏面シート１２０側から磁界を作用させて描画した画像を消去することが可能なタイプのいずれであってもよい。
【００２６】
次に、本実施例の磁気消去具の動作について説明する。図５（Ａ）、（Ｂ）は、磁気消去具１０の磁力線を模式的に表した図である。回転体７０または第１および第２の磁石８０、８２が静止しているとき、ハウジング２０の内部空間２２内にはＮ極からＳ極に向けて磁力線Ｍが発生する。ここで、回転体７０が回転されると、第１および第２の磁石８０、８２が回転するため、磁力線Ｍの方向が変化する。このとき、消去可能な範囲１５０は、第１の磁石８０と第２の磁石８２とが回転する範囲（ｒ１＋ｒ２）とほぼ等しくなる。
【００２７】
図４（Ｂ）は、磁気パネル１００の表面シート１１０上において磁気消去具１００による消去を行ったときの模式図であり、磁気消去具１００を記録面側からＹ方向に移動させると、その範囲において文字等が消去される。第１および第２の磁石８０、８２は、ハウジング２０の開放端２４から距離ｄの位置にあるため、Ｎ極からＳ極に向かう磁力線Ｂの水平成分が磁気パネル１００に作用し易くなる。もし、ｄ＝０であると、磁力線Ｂの垂直方向が磁気パネル１００に作用するため、その垂直成分の影響により消去が鮮明になり難い。さらに、第１の磁石８０と第２の磁石８２の間隔（ｒ１＋ｒ２）を適切な値にすることで、さらに磁力線Ｂの水平方向の成分を大きくすることができる。
【００２８】
次に、第１の実施例の変形例を図５Ａに示す。同図（Ａ）、（Ｂ）において、変形例の回転体７０Ａは、矩形状を有し、その中心部が軸３２を介して支持体３２に回転可能に取り付けられる。回転体７０Ａの一方の端部には、鉛直方向に延在する延在部７２が形成され、他方の端部にも同様に延在部７４が形成される。好ましくは、回転体７０Ａは、磁性体材料から構成され、かつハウジング３０もまた磁性体材料から構成される。回転体７０Ａの一方の端部には、磁石８０が取り付けられ、他方の端部には、磁石８２が取り付けられる。好ましい例では、延在部７２、７４は、磁石８０、８２の表面より高さＱだけ高い位置にあり、磁石８０、８２からの磁力線が回転体７０Ａの外側に漏洩するのを防止する。さらに好ましい例では、磁石８０および８２と延在部７２、７４との間には間隙Ｐが形成され、磁石８０、８２の磁力線が延在部７２、７４により遮蔽される。但し、本発明は、Ｐをゼロにして、すなわち磁石８０、８２を延在部７２、７４に密着させてもよいし、Ｑをゼロにして、延在部７２、７４の高さと磁石８０、８２の高さとを同じにしてもよい。
【００２９】
また、ハウジング７０の開口がカバ−２６によって覆われ、さらにカバー２６の表面には、柔らかい摩擦の少ない部材（例えば、フェルト等の非磁性材料）の摺動促進部材２７が設けられる。磁気消去具１００を、図４（Ｂ）に示す磁気パネル１００の表面シート１１０上をスライドさせるとき、摺動促進部材２７によりスライドが容易になり、かつ表面シート１１０への傷が生じるのを防止すことができる。また、磁気描画に加えて、表面シート１１０上にホワイトボード用マーカ等による描画を行う場合に、摺動促進部材２７によりマーカの描画を消去することができる。
【００３０】
図５Ａ（Ｂ）に、磁石８０、８２の磁力線Ｍの様子を示す。図５（Ｂ）に示すようにＮ極からＳ極に向けて磁力線Ｍが発生するが、磁石８０と延在部７２との間隙Ｐ、および磁石８２と延在部７４との間隙Ｐが存在することにより、Ｎ極からの磁力線が延在部７２、７４に効果的に吸収されるため、回転体７０Ａの半径範囲内に磁力線を正確に閉じ込めることができる。
【００３１】
図５Ｂ（Ａ）、（Ｂ）は、第１の実施例さらなる変形例である。この変形例では、磁石８０Ａ、８０Ｂは、先の磁石８０、８２と磁極の配向が異なる。すなわち、回転体７０Ａの一方の端部には、磁石８０Ａが取り付けられ、他方の端部には、磁石８２Ａが取り付けられる。磁石８０Ａ、８２ＡのＳ極およびＮ極は、回転体７０Ａの軸方向に位置し、磁石８０ＡのＳ極は、磁石８２ＡのＮ極と対向する。あるいは、磁石８０ＡのＮ極が磁石８２ＡのＳ極に対向するように配置されてもよい。好ましくは、磁石８０ＡのＮ極が延在部７２の側面に取り付けられ、磁石８２ＡのＳ極が延在部７４の側面に取り付けら、磁石８０Ａ、８２Ａは、回転体７０Ａの上面から間隙Ｑだけ隔てられる。また、延在部７２、７４の高さは、先の変形例と同様に、磁石８０Ａ、８２Ａよりも高い位置にある。このときの磁力線の様子を図５Ｂ（Ｄ）に示す。このような構成により、磁石８０Ａ、８２Ａから発生する磁力線が延在部７２、７４によって遮蔽されるため、軸消去具１００の消去範囲は、磁石８０Ａの半径ｒ１と磁石８０Ｂの半径ｒ２に正確に規定される。なお、本例においても、Ｑをゼロにして、磁石８０Ａ、８２Ａを回転体７０Ａの上面に密着させてもよいし、延在部７２、７４の高さと磁石８０Ａ、８２Ａの高さとを同じにしてもよい。
【００３２】
図５Ｂ（Ｃ）は、さらなる変形例である。本例では、ハウジング２０Ａおよびカバー２７がプラスチップ等の非磁性材料から構成される。この場合は、磁力線がハウジング２０Ａから漏洩するのを防止するため、ハウジング２０Ａの内周に磁性体部材２０Ｂを設けるようにしてもよい。
【００３３】
上記実施例では、回転体７０に２つの磁石８０、８２を取り付けたが、磁石の数はこれに限らず、さらに多くの磁石を取り付けても良い。例えば、図６（Ａ）に示すように、回転体７０の表面に、４つの磁石８０、８２、８４、８６を９０度間隔で取り付けることができる。４つの磁石は、それらの磁極が交互に反転するように配置されることが望ましい。
【００３４】
また、図６（Ｂ）に示すように、４つの磁石は、一対の回転体７０Ａを直交するようにしてもよい。この場合、２つの回転体７０Ａの間には、両者の磁気結合を遮断するための非磁性材料からなるスペーサ７６を設けることが望ましい。さらに他の変形例として、図６（Ｄ）に示すように、回転体７０Ａの両端部に、Ｓ極とＮ極とが積層されるような磁石８０、８２を取り付けるようにしてもよい。
【００３５】
次に、本発明の第２の実施例に係る磁気消去具について説明する。図７（Ａ）は、磁気消去具のハウジングの上部を切り取った内部の平面図、図７（Ｂ）は、そのＢ−Ｂ線断面図である。第２の実施例に係る磁気消去具１０Ａは、第１の実施例のときと異なり、ハウジング２０の内部空間を鉛直方向に分離する支持板２００を含む。支持板２００によって分離された一方の空間内にモーター５０は収容され、他方の空間にロッド状の第１の磁石２１０、第２の磁石２２０、および磁石の回転機構が収容される。
【００３６】
モーター５０は、図示しないバッテリーからの電力により動作され、その駆動軸５２は、支持板２００を介してギア２３０に接続される。ギア２３０には、２つのギア２３２、２３４が歯合される。第１の磁石２１０は、円柱状を有し、図８（Ａ）に示すように軸方向に沿うようにＳ極とＮ極とを有する。第１の磁石２１０の一方の端部は、軸２１２によって支持板２００に回転可能に取り付けられ、他方の端部は、軸２１４によってハウジング２０に回転可能に取り付けられる。さらに第１の磁石２１０の一方の端部には、ギア２３２が取り付けられる。第２の磁石２２０もまた、第１の磁石２１０と同一の構成を有し、その一方の端部が軸２２２によって支持板２００に回転可能に取り付けられ、他方の端部が軸２２４によってハウジング２０に回転可能に取り付けられる。そして、第２の磁石２２０の一方の端部にはギア２３４が取り付けられる。このような構成において、モーター５０の駆動軸が回転すると、その回転は、ギア２３０、２３２、２３４を介して第１の磁石２１０および第２の磁石２２０に伝達される。
【００３７】
ギア２３０による両側のギア２３２、２３４を駆動することにより、第１の磁石２１０と第２の磁石２２０との間に所望の間隔（ｒ１＋ｒ２）を形成することができる。図に示す例では、ギア２３２とギア２３４とが異なる径を有するため、ｒ１はｒ２に等しくないが、ｒ１＝ｒ２とすることも可能である。ｒ１＝ｒ２であるとき、第１の磁石２１０の磁極と第２の磁石２２０の磁極とが同期することが好ましい。同期とは、第１の磁石２１０のＳ極の角度位置と第２の磁石２２０のＳ極の角度位置が等しくなることである。また、第１の磁石２１０と第２の磁石２２０は、ハウジング２０の開放端２４から距離ｄの深さにある。第１および第２の磁石２１０、２２０の間隔および距離ｄにより、ハウジング端部における磁力線の水平方向の成分を調整することができる。
【００３８】
第２の実施例においても、第１の磁石２１０と第２の磁石２２０とが回転するため、第１の磁石２１０と第２の磁石２２０との間の磁力線の方向が常時変化される。第２の実施例の磁気消去具により消去し得る範囲は、第１の磁石２１０と第２の磁石２２０との間隔（ｒ１＋ｒ２）と、第１および第２の磁石２１０、２２０の軸方向の長さで規定される矩形領域である。なお、第２の実施例に使用する磁石は、図９（Ｂ）に示すような直方体の磁石であっても良い。
【００３９】
第２の実施例では、第１の磁石２１０と第２の磁石２２０とをギア２３２、２３４により回転させたが、第２の実施例は、必ずしもこのような構成に限定されない。例えば、第１の磁石２１０のみをモーター５０からの動力により回転させ、第２の磁石２２０を、第１の磁石２１０からの磁力により回転させるようにしてもよい。
【００４０】
図８Ａに第２の実施例の変形例を示す。同図（Ａ）は、単一の円筒状（ロット状）の永久磁石２５０をモーターにより回転するものである。この構成においても、ハウジング２０の内部空間内で磁力線が変化するため、磁気パネルの消去を行うことが可能である。同図（Ｂ）は、複数の永久磁石２６０、２６２、２６４を、ギア等の回転機構を利用して並列に回転させるものである。各永久磁石２６０、２６２、２６４は、同期するように回転されてもよいし、非同期で回転されるようにしてもよい。磁極が同期する場合、磁界の変化は均一となり得るが、磁極が非同期の場合、磁界がランダムとなり得る。同図（Ｃ）は、複数の永久磁石２７０、２７２、２７４を直列に接続して回転させるものである。この場合、各磁石の間に一定の空間２８０が形成されるようにしてもよい。この場合にも、磁極が同期するような回転であってもよいし、非同期であってもよい。
【００４１】
図８Ａに示すようなロッド状の磁石をモーターにより回転させる場合、磁気消去具１０のハウジング形状は、好ましくは、図８Ｂに示すようなペン型にすることも可能である。ペン型のハウジング２０Ｂの軸方向に沿うようにロッド状の磁石２５０等が配置される。このようなペン型の磁気消去具１０は、微細な領域を消去するのに適している。
【００４２】
次に、本発明の第３の実施例に係る磁気消去具について説明する。第３の実施例に係る磁気消去具１０Ｂは、電磁石により磁界の発生、変化を行うものである。図９に、第３の実施例に係る磁気消去具の要部を示す。第３の実施例の磁気消去具は、ハウジング内に、鉄等の磁性体材料から構成される環状のステーター３００を含む。ステーター３００の内周には、４５度間隔で８つの突起３１０が一体に形成されている。８つの突起３１０には、それぞれコイル３２０が券回される。ここで、便宜上、８つの突起を、ａ、ｂ、ｃ、ｄ、／ａ、／ｂ、／ｃ、／ｄとする。突起ａ、ｂ、ｃ、ｄには、それぞれ同方向でコイルが券回され、突起／ａ、／ｂ、／ｃ、／ｄには、突起ａ、ｂ、ｃ、ｄと反対方向でコイルが券回される。
【００４３】
磁気消去具はさらに、コイルに電流を印加するための駆動回路（図示省略）を含む。駆動回路は、図１０（Ａ）に示すような、位相が４５度シフトされた電流をコイルに印加することで、ステーター３００の内に発生する磁界を時間的に変化させる。先ず、時間期間Ｔ１−Ｔ２において、突起ａと、これに対向する突起／ａの各コイルに電流パルスが印加される。このとき、突起ａの先端にはＮ極が発生し、突起／ａにはＳ極が発生する。次に、時間期間Ｔ２−Ｔ３において、突起ｂと、これに対向する突起／ｂの各コイルに電流パルスが印加される。このとき、突起ｂの先端にはＮ極が発生し、突起／ｂにはＳ極が発生する。以後同様に、時間期間Ｔ３−Ｔ４において、突起ｃにＮ極が発生し、突起／ｃにＳ極が発生し、時間期間Ｔ４−Ｔ５において、突起ｄにＮ極が発生し、突起／ｄにＳ極が発生する。次の時間期間Ｔ５−Ｔ６において、突起／ａにＮ極が発生し、突起ａにＳ極が発生する。以後に、順次、突起／ｂ、／ｃ、／ｄでＮ極が発生し、突起ｂ、ｃ、ｄでＳ極が発生する。図１１は、時間期間Ｔ１〜Ｔ９において、Ｎ極、Ｓ極が時計回りに遷移する例を示している。こうして、ステーター３００には、４５度ずつ変化する磁力線が生成される。
【００４４】
なお、上記の例では、対向する一対の突起に異なる磁極を発生させるためにコイルの向きを反転させたが、これに限らず、すべての突起に巻回するコイルの向きを同じに、ａ、ｂ、ｃ、ｄと、／ａ、／ｂ、／ｃ、／ｄとに流す電流の方向を逆にするようにしてもよい。
【００４５】
また、上記例では、コイルに電流パルスを印加する例を示したが、これに限らず、図１２（Ａ）に示すような正弦波、図１２（Ｂ）に示すような矩形波、図１２（Ｃ）に示すような三角波であることができる。仮に、このような正負の電圧波形を印加した場合には、波形の１周期において突起にＮ極とＳ極とを生成することができ、これと対向する突起には、Ｓ極とＮ極とを生成することができる。また、磁力の調整については、流す電流の大きさ、コイル４２の巻き数を適宜変更することにより調整することができる。
【００４６】
第３の実施例に示す磁気消去具１０Ｂは、第１、第２の実施例で示した磁気消去具と同様に磁気パネル１００に描画された文字等を表側からあるいは裏側から消去することができる。
【００４７】
次に、第３の実施例の変形例を図１３に示す。同図に示すステーター３０２は、矩形状を有し、その内周に９０度間隔で４つの突起ａ、ｂ、／ａ、／ｂが形成され、そこにコイルが券回されている。この場合にも、例えば、９０度の位相差で電流パルスが印加され、突起ａ、／ａのコイルに電流パルスが印加されたとき、突起ａにＮ極、突起／ａにＳ極が発生され、突起ｂ、／ｂのコイルに電流パルスが印加されたとき、突起ｂにＮ極、突起／ｂにＳ極が発生され、以後、突起／ａ、／ｂにＮ極が発生し、突起ａ、ｂにＳ極が発生される。なお、ステーターの形状は、矩形状以外にも多角形（例えば、６角形）であってもよい。
【００４８】
次に、本発明の第４の実施例について説明する。第４の実施例では、図１４（Ａ）に示すように、ロット状または円筒状の鉄芯４００と、鉄芯４００を巻回するコイル４３０と、コイル４３０に電流を印加する電流印加手段４４０とを含む。電流印加手段４４０は、図１２（Ａ）、（Ｂ）、（Ｃ）に示すような正負の電圧サイクルを有する電流をコイル４３０に印加し、コイル４３０を流れる電流の向きを反転させる。その結果、鉄芯４００の両端部に発生する磁極が半サイクル毎に変化する。図１４（Ｂ）は、鉄心４００の両端部に発生する磁極と、その磁力線とを模式的に表している。鉄心４００の軸方向の長さを適切に選択することで、両端部から発生する磁力線が軸とほぼ平行となり、水平方向の磁力線を磁気パネルに作用させることで、消去効率を高め、消去後の色彩をより鮮明にすることができる。
【００４９】
図１４（Ｃ）は、鉄芯の変形例である。同図に示す鉄芯４１０は、両端部から鉛直方向に延びる脚部４１２を有する。このような脚部４１２により、磁力線は、脚部４１２を越えることなく内側に収められる。これにより消去範囲の境界を明瞭にすることができる。図１４（Ｄ）は、さらなる鉄芯の変形例であり、鉄芯４２０の両端部には脚部４２２が形成され、さらに脚部４２２には、水平方向に延びる延在部４２４が形成される。これにより、磁力線をさらに脚部４２２および延在部４２４内に閉じ込めることができ、消去範囲をさらに明瞭にすることができる。
【００５０】
このような第４の実施例に示す電磁石の構成は、第２の実施例で示した磁気消去具１０Ａのロッド状の永久磁石２１０、２２０に置換することができる。
【００５１】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００５２】
１０、１０Ａ、１０Ｂ：磁気消去具          ２０：ハウジング
２２：内部空間                            ２４：開放端
３０：支持体                              ４０：バッテリー
５０：モーター                            ６０、６２：歯車
７０：回転体                              ８０：磁石
１００：磁気パネル                          １１０：表面シート
１２０：裏面シート                          １３０：マイクロカプセル
２００：支持体                              ２１０、２２０：永久磁石
２３０、２３２、２３４：ギア                ３００、３０２：ステーター
３１０：突起                                ３２０：コイル
４００、４１０、４２０：鉄芯                ４３０：コイル
【図１】
2018030233.tif 000003
【図２】
2018030233.tif 000004
【図３】
2018030233.tif 000005
【図３Ａ】
2018030233.tif 000006
【図４】
2018030233.tif 000007
【図５】
2018030233.tif 000008
【図５Ａ】
2018030233.tif 000009
【図５Ｂ】
2018030233.tif 000010
【図６】
2018030233.tif 000011
【図７】
2018030233.tif 000012
【図８】
2018030233.tif 000013
【図８Ａ】
2018030233.tif 000014
【図８Ｂ】
2018030233.tif 000015
【図９】
2018030233.tif 000016
【図１０】
2018030233.tif 000017
【図１１】
2018030233.tif 000018
【図１２】
2018030233.tif 000019
【図１３】
2018030233.tif 000020
【図１４】
2018030233.tif 000021
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
を有する磁気消去具。
【請求項２】
前記磁界発生手段は、少なくとも１つの永久磁石を含み、
前記磁界変化手段は、前記永久磁石を回転させる回転機構を含む、請求項１に記載の磁気消去具。
【請求項３】
前記磁界発生手段は、前記ハウジング内に取り付けられた回転体と、前記回転体に取り付けられた少なくとも第１の磁石および第２の磁石を含み、
前記磁界変化手段は、前記回転体を回転させることで磁界を変化させる、請求項１または２に記載の磁気消去具。
【請求項４】
前記磁界発生手段は、軸方向に沿うようにＳ極およびＮ極が形成された少なくとも第１および第２の磁石を含み、
前記磁界変化手段は、第１および第２の磁石を軸中心に回転させる、請求項１に記載の磁気消去具。
【請求項５】
前記磁界変化手段は、第１および第２の磁石を第１および第２のギアにより回転させる回転機構を含み、第１および第２のギアにより第１および第２の磁石の間隙が調整される、請求項４に記載の磁気消去具。
【請求項６】
前記磁界発生手段は、内周に複数の突起が形成された環状の磁性体部材と、前記複数の突起に巻回された複数のコイルと、前記複数のコイルに電流を印加する電流印加手段とを含み、
前記磁界変化手段は、前記電流印加手段の電流印加のタイミングを制御する、請求項１に記載の磁気消去具。
【請求項７】
前記磁界発生手段は、円柱状の鉄芯と、鉄芯に巻回されたコイルとを含み、
前記磁界変化手段は、前記コイルに交流波形の電流を印加する、請求項１に記載の磁気消去具。
【請求項８】
磁気消去具はさらに、ハウジングの開放された端部を覆うカバー部材を含み、当該カバー部材の表面には、マーカの描画を消去可能な摺動部材が設けられる、請求項１ないし７いずれか１つに記載の磁気消去具。
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段とを有し、
前記ハウジングの内周には磁力線の漏洩を防止するための磁性体部材が設けられる、磁気消去具。
【請求項２】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段とを有し、
前記ハウジングの開放端には、前記内部空間を遮蔽するためのカバー部材が取り付けられ、前記ハウジングおよび前記カバー部材は、非磁性材料から構成される、磁気消去具。
【請求項３】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
物体の接触を検出するセンサとを含み、
前記磁界変化手段は、前記センサの検出結果に基づき磁界を変化させる、磁気消去具。
【請求項４】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
ユーザーからの指示を受け取る入力手段とを含み、
前記磁界変化手段は、前記入力手段からの指示に基づき磁界を変化させる、磁気消去具。
【請求項５】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
前記ハウジングの開放端から前記磁界発生手段までの距離を可変する機構と、
を有する磁気消去具。
【請求項６】
前記磁界発生手段は、少なくとも１つの永久磁石を含み、
前記磁界変化手段は、前記永久磁石を回転させる回転機構を含む、請求項１ないし５いずれか１つに記載の磁気消去具。
【請求項７】
前記磁界発生手段は、前記ハウジング内に取り付けられた回転体と、前記回転体に取り付けられた少なくとも第１の磁石および第２の磁石を含み、
前記磁界変化手段は、前記回転体を回転させることで磁界を変化させる、請求項１ないし６いずれか１つに記載の磁気消去具。
【請求項８】
前記磁界発生手段は、軸方向に延在する第１の磁石および軸方向に延在する第２の磁石を含み、第１の磁石の軸方向に沿って延在するようにＳ極とＮ極がそれぞれ形成され、第２の磁石の軸方向に沿ってＳ極とＮ極がそれぞれ形成され、
前記磁界変化手段は、第１および第２の磁石を軸中心に回転させる、請求項１ないし５いずれか１つに記載の磁気消去具。
【請求項９】
前記磁界変化手段は、第１および第２の磁石を第１および第２のギアにより回転させる回転機構を含み、第１のギアが第１の磁石の端部に取り付けられ、第２のギヤが第２の磁石の端部に取り付けられ、第１のギヤが第２のギアに噛合し、第１および第２のギアの径により第１および第２の磁石の間隙が調整される、請求項８に記載の磁気消去具。
【請求項１０】
前記ハウジングは、磁性体材料から構成され、前記磁界発生手段は、前記ハウジングの開放端から一定距離だけ窪んだ位置に配置される、請求項１、３、４、または５に記載の磁気消去具。
【請求項１１】
前記磁界発生手段は、内周に複数の突起が一定の角度間隔で形成された環状の磁性体部材と、前記複数の突起に巻回された複数のコイルと、前記複数のコイルに電流を印加する電流印加手段とを含み、
前記磁界変化手段は、前記一定の角度間隔に応じて位相がシフトされた電流が印加されるように前記電流印加手段の電流印加のタイミングを制御し、前記環状の磁性体部分には、前記一定の角度間隔で変化する磁力線が生成される、請求項１ないし５いずれか１つに記載の磁気消去具。
【請求項１２】
前記ハウジングの開放された端部を覆うカバー部材の表面には、マーカの描画を消去可能な摺動部材が設けられる、請求項１ないし１１いずれか１つに記載の磁気消去具。
【請求項１３】
前記ハウジングは、ペン型を有する、請求項１ないし１２いずれか１つに記載の磁気消去具。
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段とを有し、
前記ハウジングの内周には磁力線の漏洩を防止するための磁性体部材が設けられる、磁気消去具。
【請求項２】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段とを有し、
前記ハウジングの開放端には、前記内部空間を遮蔽するためのカバー部材が取り付けられ、前記ハウジングおよび前記カバー部材は、非磁性材料から構成される、磁気消去具。
【請求項３】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
前記ハウジングに物体が接触されたことを検出するセンサとを含み、
前記磁界変化手段は、前記センサの検出結果に基づき磁界を変化させる、磁気消去具。
【請求項４】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
ユーザーからの指示を受け取る入力手段とを含み、
前記磁界変化手段は、前記入力手段からの指示に基づき起動して磁界を変化させ、当該起動から一定時間後に自動的に磁界の変化を停止させる、磁気消去具。
【請求項５】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
前記ハウジングの開放端から前記磁界発生手段までの距離を可変する機構と、
を有する磁気消去具。
【請求項６】
前記磁界発生手段は、少なくとも１つの永久磁石を含み、
前記磁界変化手段は、前記永久磁石を回転させる回転機構を含む、請求項１ないし５いずれか１つに記載の磁気消去具。
【請求項７】
前記磁界発生手段は、前記ハウジング内に取り付けられた回転体と、前記回転体に取り付けられた少なくとも第１の磁石および第２の磁石を含み、
前記磁界変化手段は、前記回転体を回転させることで磁界を変化させる、請求項１ないし６いずれか１つに記載の磁気消去具。
【請求項８】
前記磁界発生手段は、軸方向に延在する第１の磁石および軸方向に延在する第２の磁石を含み、第１の磁石の軸方向に沿って延在するようにＳ極とＮ極がそれぞれ形成され、第２の磁石の軸方向に沿ってＳ極とＮ極がそれぞれ形成され、
前記磁界変化手段は、第１および第２の磁石を軸中心に回転させる、請求項１ないし５いずれか１つに記載の磁気消去具。
【請求項９】
前記磁界変化手段は、第１および第２の磁石を第１および第２のギアにより回転させる回転機構を含み、第１のギアが第１の磁石の端部に取り付けられ、第２のギヤが第２の磁石の端部に取り付けられ、第１および第２のギアがモータの駆動軸のギアにそれぞれ噛合し、第１および第２のギアの中心間距離により第１および第２の磁石の間隙が調整される、請求項８に記載の磁気消去具。
【請求項１０】
前記ハウジングは、磁性体材料から構成され、前記磁界発生手段は、前記ハウジングの開放端から一定距離だけ窪んだ位置に配置される、請求項１、３、４、または５に記載の磁気消去具。
【請求項１１】
前記磁界発生手段は、内周に複数の突起が一定の角度間隔で形成された環状の磁性体部材と、前記複数の突起に巻回された複数のコイルと、前記複数のコイルに電流を印加する電流印加手段とを含み、
前記磁界変化手段は、前記一定の角度間隔に応じて位相がシフトされた電流が印加されるように前記電流印加手段の電流印加のタイミングを制御し、前記環状の磁性体部分には、前記一定の角度間隔で変化する磁力線が生成される、請求項１ないし５いずれか１つに記載の磁気消去具。
【請求項１２】
前記ハウジングの開放された端部を覆うカバー部材の表面には、マーカの描画を消去可能な摺動部材が設けられる、請求項１ないし１１いずれか１つに記載の磁気消去具。
【請求項１３】
前記ハウジングは、ペン型を有する、請求項１ないし１２いずれか１つに記載の磁気消去具。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段とを有し、
前記ハウジングの内周には磁力線の漏洩を防止するための磁性体部材が設けられる、磁気消去具。
【請求項２】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段とを有し、
前記ハウジングの開放端には、前記内部空間を遮蔽するためのカバー部材が取り付けられ、前記ハウジングおよび前記カバー部材は、非磁性材料から構成される、磁気消去具。
【請求項３】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
前記ハウジングに物体が接触されたことを検出するセンサとを含み、
前記磁界変化手段は、前記センサの検出結果に基づき磁界を変化させる、磁気消去具。
【請求項４】
磁気パネル用の磁気消去具であって、
内部空間が形成されたハウジングと、
前記ハウジング内に収容され、磁界を発生させる磁界発生手段と、
前記磁界発生手段により発生された磁界を変化させる磁界変化手段と、
前記ハウジングの開放端から前記磁界発生手段までの距離を可変する機構と、
を有する磁気消去具。
【請求項５】
磁気パネル用の磁気消去具はさらに、
ユーザーからの指示を受け取る入力手段を含み、
前記磁界変化手段は、前記入力手段からの指示に基づき起動して磁界を変化させ、当該起動から一定時間後に自動的に磁界の変化を停止させる、請求項１ないし４いずれか１つに記載の磁気消去具。
【請求項６】
前記磁界発生手段は、少なくとも１つの永久磁石を含み、
前記磁界変化手段は、前記永久磁石を回転させる回転機構を含む、請求項１ないし５いずれか１つに記載の磁気消去具。
【請求項７】
前記磁界発生手段は、前記ハウジング内に取り付けられた回転体と、前記回転体に取り付けられた少なくとも第１の磁石および第２の磁石を含み、
前記磁界変化手段は、前記回転体を回転させることで磁界を変化させる、請求項１ないし６いずれか１つに記載の磁気消去具。
【請求項８】
前記磁界発生手段は、軸方向に延在する第１の磁石および軸方向に延在する第２の磁石を含み、第１の磁石の軸方向に沿って延在するようにＳ極とＮ極がそれぞれ形成され、第２の磁石の軸方向に沿ってＳ極とＮ極がそれぞれ形成され、
前記磁界変化手段は、第１および第２の磁石を軸中心に回転させる、請求項１ないし５いずれか１つに記載の磁気消去具。
【請求項９】
前記磁界変化手段は、第１および第２の磁石を第１および第２のギアにより回転させる回転機構を含み、第１のギアが第１の磁石の端部に取り付けられ、第２のギヤが第２の磁石の端部に取り付けられ、第１および第２のギアがモータの駆動軸のギアにそれぞれ噛合し、第１および第２のギアの中心間距離により第１および第２の磁石の間隙が調整される、請求項８に記載の磁気消去具。
【請求項１０】
前記ハウジングは、磁性体材料から構成され、前記磁界発生手段は、前記ハウジングの開放端から一定距離だけ窪んだ位置に配置される、請求項１、３、４、または５に記載の磁気消去具。
【請求項１１】
前記磁界発生手段は、内周に複数の突起が一定の角度間隔で形成された環状の磁性体部材と、前記複数の突起に巻回された複数のコイルと、前記複数のコイルに電流を印加する電流印加手段とを含み、
前記磁界変化手段は、前記一定の角度間隔に応じて位相がシフトされた電流が印加されるように前記電流印加手段の電流印加のタイミングを制御し、前記環状の磁性体部分には、前記一定の角度間隔で変化する磁力線が生成される、請求項１ないし５いずれか１つに記載の磁気消去具。
【請求項１２】
前記ハウジングの開放された端部を覆うカバー部材の表面には、マーカの描画を消去可能な摺動部材が設けられる、請求項１ないし１１いずれか１つに記載の磁気消去具。
【請求項１３】
前記ハウジングは、ペン型を有する、請求項１ないし１２いずれか１つに記載の磁気消去具。